(57)【要約】【目的】ハンドル部の高さ調整を片手で、且つ、容易に行うことが可能なショッピングカートを提供すること。【構成】ハンドル部内とスライド部内に渡り、作動リンク部材を設け、スライド部下端にエンド部材を嵌め込むと共に、エンド部材上部に押圧バネを介在させ、スライド部内に少なくとも一方側面が開放され、その正面側及び背面側に傾斜して下降する孔部を有するホルダーを、押圧バネ上に載置し、上記孔部に緩挿される凸部を有すると共に、上記ホルダーの開放側面側に突出部を設けたロックピンを、ホルダー内に装入し、前記スライド部に、前記ロックピンの突出部が緩挿可能な孔部を設け、前記主フレームに、前記ロックピンの突出部が緩挿可能な孔部を複数設けて構成した。【選択図】        図１
2015047241.tif 000002
【特許請求の範囲】
【請求項１】
略上下方向に延びる左右一対の主フレームと、
該主フレームの上端に連結して略上方に延び、上端に使用者が手押しするハンドル部を設けたハンドルフレームと、
主フレームの基端部において、主フレームを支持する台座部と、
台座部の下面に設けられる車輪部とを備えたショッピングカートであって、
前記ハンドルフレームに、
前記主フレーム（１１）に挿通して上下スライドするスライド部（２５）を設け、
ハンドル部（２１）内とスライド部（２５）内に渡り、作動リンク部材（３０）を設け、
該作動リンク部材（３０）を下方に押圧するボタン部（２２）をハンドル部（２１）に設け、
スライド部（２５）下端にエンド部材（４０）を嵌め込むと共に、エンド部材（４０）上部に押圧バネ（４１）を介在させ、
作動リンク部材（３０）の下端に接してスライド部（２５）内に装備される箱型のホルダー（５０）であって、少なくとも一方側面が開放され、その正面側及び背面側に、開放された側面側に向かって傾斜して下降する孔部（５２）を有するホルダー（５０）を、押圧バネ（４１）上に載置し、
正面側及び背面側に、上記孔部（５２）に緩挿される凸部（６２）を有すると共に、上記ホルダー（５０）の開放側面側に突出部（６１）を設けたロックピン（６０）を、ホルダー（５０）内に装入し、
前記スライド部（２５）に、前記ロックピン（６０）の突出部（６１）が緩挿可能な孔部（２６）を、作動リンク部材（３０）がホルダー（５０）を押圧していない状態において、突出部（６１）が突出する位置に設け、
前記主フレーム（１１）に、前記ロックピン（６０）の突出部（６１）が緩挿可能な孔部（１１ａ）を複数設けたショッピングカート。
【請求項２】
ホルダー（５０）内に前記孔部（５２）と同一方向に向かって傾斜する壁部（５３）を設け、ロックピン（６０）内に壁部（５３）が緩挿可能な溝部（６４）を設けた請求項１記載のショッピングカート。
【発明の詳細な説明】
【技術分野】
【０００１】
本発明は、進行方向に対して、平面視略矩形状の台座部の左右いずれかの側方に立位する使用者が片手で操作可能な片手操作式のショッピングカートに関し、より詳しくは、ハンドルフレームの高さを片手で簡単に調整可能なショッピングカートに関する。
【背景技術】
【０００２】
従来、歩行を補助する器具としてシルバーカーと呼ばれる手押し車が知られている。シルバーカーは、使用者の体重を預けることにより進退し、また、座ることが可能な構造のものも有り、足腰が衰えた高齢者の間で利用されている。
【０００３】
しかし、シルバーカーは、安定性確保のため、全長及び全幅が大きくなる傾向にあり、装飾より機能を優先した構造となっている。それゆえ、シルバーカーは、多くの使用者にとって、老人向け用品という印象が強く、使用に際して抵抗感を受ける者も少なくない。
【０００４】
そこで、係る抵抗感を少なくするため、バッグを装飾豊かなものとし、また、形状も小型化すること老人向け用品という印象を減少させ、使用に際して抵抗感が少なくしたものとして、ショッピングカートが老若を問わず広い年齢層に利用されている。
【０００５】
また、ショッピングカートのうち、横押しタイプのものは、ハンドル部に体重を預けつつ片手で操作することができることから、杖の代用品として歩行の補助に用いられている。
【０００６】
特許文献１にはハンドルフレームと主フレームにネジ孔を設けることで、ハンドル部の高さを調整可能とした手押し車が開示されてる。
【０００７】
特許文献２には、ハンドルフレームの高さを無断階的に調整可能としたキャリーカートが開示されている。
【先行技術文献】
【特許文献】
【０００８】
【特許文献１】特開２０１２−５６５３７号公報
【特許文献２】登録実用新案公報第３１８２７００号
【発明の概要】
【発明が解決しようとする課題】
【０００９】
上述の杖の代用品として歩行の補助に用いられている横押しタイプのショッピングカートは、主な利用者が老人であることから、簡易な操作性が求められる。
【００１０】
そこで本発明は、ハンドル部の高さ調整を片手で、且つ、容易に行うことが可能なショッピングカートを提供することを目的とする。
【課題を解決するための手段】
【００１１】
上記の目的を達成する本発明の構成は次の通りである。
【００１２】
（１）  請求項１に記載の発明は、略上下方向に延びる左右一対の主フレームと、該主フレームの上端に連結して略上方に延び、上端に使用者が手押しするハンドル部を設けたハンドルフレームと、主フレームの基端部において、主フレームを支持する台座部と、台座部の下面に設けられる車輪部とを備えたショッピングカートにおいて、前記ハンドルフレームに、前記主フレームに挿通して上下スライドするスライド部を設け、ハンドル部内とスライド部内に渡り、作動リンク部材を設け、該作動リンク部材を下方に押圧するボタン部をハンドル部に設け、スライド部下端にエンド部材を嵌め込むと共に、エンド部材上部に押圧バネを介在させ、作動リンク部材の下端に接してスライド部内に装備される箱型のホルダーであって、少なくとも一方側面が開放され、その正面側及び背面側に、開放された側面側に向かって傾斜して下降する孔部を有するホルダーを、押圧バネ上に載置し、
正面側及び背面側に、上記孔部に緩挿される凸部を有すると共に、上記ホルダーの開放側面側に突出部を設けたロックピンを、ホルダー内に装入し、前記スライド部に、前記ロックピンの突出部が緩挿可能な孔部を、作動リンク部材がホルダーを押圧していない状態において、突出部が突出する位置に設け、前記主フレームに、前記ロックピンの突出部が緩挿可能な孔部を複数設けて構成した。
【００１３】
（２）  請求項２に記載の発明は、請求項１に記載のショッピングカートにおいて、ホルダー内に前記孔部と同一方向に向かって傾斜する壁部を設け、ロックピン内に壁部が緩挿可能な溝部を設けて構成した。
【発明の効果】
【００１４】
上記のように構成される本発明が、如何に作用して課題を解決するかを図面を参照しながら概説する。
【００１５】
図２は本発明に係るショッピングカート１０の一部破断正面図であり、ハンドルフレームの高さ方向の上下動がロックピン６０等により固定されている状態を示している。また、図３Ａは、かかる固定状態を維持するための作用を主に行っている部位の要部破断拡大正面図であり、図３Ｂは、固定状態が解除された場面を示す要部破断拡大正面図である。
【００１６】
図３Ａに示されるように、固定状態では押圧バネ４１によりホルダー５０が上方に押圧されている。この際、ホルダー５０に設けられた孔部５２は、開放側面５１側に向かって傾斜して下降していることから、当該孔部５２に凸部６２が緩挿されたロックピン６０は図中右下方向に押し下げられることになる。
【００１７】
これに伴い、ロックピン６０の突出部６１が、ホルダー５０の開放側面５１及びスライド部２５に設けられた孔部２６、更には主フレーム１１に設けた孔部１１ａから外部に突出することになる。これにより、スライド部２５の上下方向の移動が阻止されることになる。つまりは、ハンドル部２１の高さが固定されることになる。
【００１８】
一方、ハンドル部２１の高さを変更する際の状態を示したのが図３Ｂである。作動リンク部材３０により、図２に示されるハンドル部２１に設けられたボタン部２２を押下すると、作動リンク部材３０が下方に押圧され、図３Ｂに示されるようにホルダー５０が下方に押し下げられる。この際、ホルダー５０に設けられた孔部５２は、開放側面５１側に向かって傾斜して下降していることから、当該孔部５２に凸部６２が緩挿されたロックピン６０は図中左上方向に押し上げられることになる。
【００１９】
これに伴い、ハンドル部２１の高さが固定されていた状態において、ホルダー５０の開放側面５１及びスライド部２５に設けられた孔部２６、更には主フレーム１１に設けた孔部１１ａから外部に突出していたロックピン６０の突出部６１が、スライド部２５内に移動することになる。これにより、スライド部２５の上下方向の移動が自由になり、つまりは、ハンドル部２１の高さが可変になる。
【００２０】
そのうえで、使用者がハンドル部２１を所望高さに持って行き、ボタン部２２の押下状態を解放すると、ホルダー５０の下部には押圧バネ４１が介在させてあることから、ホルダー５０は上方に押し上げられ、これに伴いロックピン６０は図３における右下方向に押し下げられ、突出部６１が外部に突出する方向に付勢される。かかる状態で突出部６１と主フレーム１１に設けられた孔部１１ａの位置が一致すると、突出部６１が主フレーム１１の外部まで突出し、つまりハンドルフレーム２０の高さ方向の位置が固定されるのである。
【００２１】
このように、本発明に係るショッピングカートにおいてはボタン部２２を押下し、ハンドルフレーム２０を上下するという片手で簡単に行うことが可能な作業によりハンドル部２１の高さを調整可能となるのである。
【００２２】
請求項２記載の発明においては、ホルダー内に前記ホルダーの正面が及び背面側に設けられた孔部と同一方向に向かって傾斜する壁部を設け、ロックピン内に当該壁部が緩挿可能な溝部を設けて構成してある。溝部に壁部を緩挿することで、壁部がガイドの役目を果たし、ロックピンの動きがより確実に行われるものである。
【図面の簡単な説明】
【００２３】
【図１】本発明の斜視図
【図２】本発明の一部破断正面図
【図３】要部破断拡大図
【図４】Ａ  主フレームの正面図        Ｂ  同Ａ−Ａ線断面図
【図５】Ａ  スライド部の正面図        Ｂ  同Ａ−Ａ線断面図
【図６】主フレームとスライド部の関係を示す説明断面図
【図７】作動リンク部材の斜視図
【図８】ホルダーの六面図
【図９】Ａ  図８におけるＡ−Ａ線断面図        Ｂ  同Ｂ-Ｂ線断面図        Ｃ  ホルダーの斜視図
【図１０】ロックピンの五面図
【図１１】ロックピンの断面図および斜視図
【図１２】エンド部材を示す説明図
【発明を実施するための形態】
【００２４】
以下、好ましい発明の一実施形態につき、図面を参照しながら概説する。なお、本発明の実施の形態は、下記の実施形態に何ら限定されることはなく、本発明の技術的範囲に属する限り種々の形態を採りうる。
【００２５】
本発明に係るショッピングカートを、本実施の形態を示す図面に基づいて以下説明する。ショッピングカート１０は、図１に示すように、台座部１２と、一対の前輪及び一対の後輪とにより成る車輪部１３と、台座部１２上に立設される一対の主フレーム１１と、スライド部２５及びハンドル部２１より成るハンドルフレーム２０を主な構成要素とする。
【００２６】
台座部１２は、図１に示すように、合成樹脂により形成された平面視略矩形状の板部材であり、上面側に、物品収納袋（図示せず）を載置する載置面１２ａと、軽量化のための孔部１２ｂと、主フレームを保持する主フレーム保持部１２ｃとを備える。
【００２７】
載置面１２ａは、物品収納袋を安定して載置することができるよう平坦に形成されている。孔部１２ｂは、軽量化のために載置面１２ａに複数形成されている。主フレーム保持部１２ｃは、載置面１２aから筒状に立ち上がり、載置面１２aの四辺のうち、使用者の立ち位置側及び反対側の略中央部に形成されている。
【００２８】
台座部１２の下面には、ショッピングカート１０の進行方向に対して前側に前輪ユニット１３aの取付構造を形成し、後側に後輪ユニット１３ｂの取付構造が形成される。
【００２９】
主フレーム保持部１２ｃ内に嵌合される主フレーム１１は、図４Ｂに示されるように断面が中空のパイプ体である。主フレーム１１の側面にはロックピン６０の突出部６１が突出可能な形状の孔部１１aが複数設けられる。
【００３０】
ハンドルフレーム２０はハンドル部２１と、スライド部２５とにより成る。
【００３１】
ハンドル部２１は、略コ字状に折り曲げられた樹脂製部材であり、コの字状の両端部にスライド部２５を嵌め込む孔が形成される。また、ハンドル部２１の中央には楕円形状の孔部２１ａが設けられ、該孔部２１ａには、ハンドルフレーム２０の高さ方向の伸縮を操作するボタン部２２が緩挿されるものである。ボタン部２２は平面視楕円形状を呈し、底面側に凹部２２ａを有し、該凹部２２ａに後述の凸部３１ａを嵌合するものである。
【００３２】
スライド部２５は図６に示されるように断面が中空のパイプ体である。スライド部２５の側面にはロックピン６０の突出部６１が突出可能な形状の孔部２６が設けられる。
【００３３】
主フレーム１１及びスライド部２５は、図７に示されるように主フレーム１１内にスライド部２５が緩挿可能な形状に形成される。かように形成されるがゆえに、スライド部２５が高さ方向に移動自在となるのである。
【００３４】
また、ハンドルフレーム２０内には、ボタン部２２に連動してスライド部２５のスライドを固定／解除する作動リンク部材３０が内蔵されている。
【００３５】
図２や図７に示すように、作動リンク部材３０は、ボタン部２２の凹部２２ａに嵌め込まれる凸部３１ａを有する板状のボタン部連動部材３１、ボタン部連動部材３１と固定される板状の連結部材３２、連結部材３２と固定され、両端に水平方向に屈曲された折曲部３３ａを有する板状のホルダー押下部材３３とにより成る。
【００３６】
ボタン部連動部材３１は、図７に示すように、中央の折曲された凸部３１ａと、その両側の平板部３１ｂより成り、平板部３１ｂには孔３１ｃが設けられ、該孔３１ｃに鋲を嵌め連結部材３２と固定するものである。
【００３７】
連結部材３２は平板状の板材であり、上記孔３１ｃと対応する位置に孔３２ａが設けられ、鋲着されるものである。また、一方端部には孔３２ｂが設けられ、該孔３２ｂに鋲を嵌め、ホルダー押下部材３３と固定するものである。更には連結部材３２には孔３２ｃが２箇所設けられており、図２に示すように、ハンドル部２１内に設けられる柱状部２３に嵌め込まれるものである。連結部材３２の下部には柱状部２３を巻回する形状で押圧バネ２４が介在させてある。この押圧バネ２３はボタン部２２を押下した状態を解放した際に、元の位置に復元させる作用を有するものである。
【００３８】
ホルダー押下部材３３は、両端に水平方向に屈曲された折曲部３３ａを有する板状体であり、上部に設けられた折曲部３３ａには、上記３２ｂと対応する位置に孔３３ｂが設けられ、鋲着されるものである。
【００３９】
図８Ａはホルダー５０の正面図であり、図８Ｂはホルダー５０の背面図であり、図８Ｃはホルダー５０の左側面図であり、図８Ｄはホルダー５０の右側面図であり、図８Ｅはホルダー５０の平面図であり、図８Ｆはホルダー５０の底面図であり、図９Ａは図８におけるＡ−Ａ線断面図であり、図９Ｂは同Ｂ-Ｂ線断面図であり、図９Ｃはホルダー５０の斜視図である。
【００４０】
ホルダー５０は、正面側および背面側に斜め下方に傾斜した孔部５２を有する箱状体であり、両側面は開放されている。内部には左側面側から右側面側にむかって、孔部５２と平行して傾斜する壁部５３が設けてある。この壁部５３はロックピン６０の移動をガイドするためのものである。また、平面には、ロックピン６０の頂部に設けられた凸片６５がホルダー５０から出没自在とするための開口溝部５４が設けてある。
【００４１】
図１０Ａはロックピン６０の正面図であり、図１０Ｂはロックピン６０の左側面図であり、図１０Ｃはロックピン６０の右側面図であり、図１０Ｄはロックピン６０の平面図であり、図１０Ｅはロックピン６０の底面図であり、図１１Ａは図１０におけるＡ−Ａ線断面図であり、図１１Ｂは同Ｂ-Ｂ線断面図であり、図１１Ｃはロックピン６０の斜視図である。尚、背面図は正面図と対称に現れるものである。
【００４２】
ロックピン６０は、略直方体状の本体６３の正面側及び背面側それぞれに円柱状の凸部６２が設けられ、右側面側に円柱状の突出部６１が設けられるものである。また、本体６３の左側面から右側面側に向かって下方に傾斜する溝部６４が設けられている。この溝部６４にはホルダー５０の壁部５３が緩挿され、ロックピン６０の移動がガイドされるものである。
【００４３】
更にはロックピン６０の頂部には凸片６５が設けられるている。この凸片６５は、ロックピン６０がスライド部材２５の内部に完全に入り込むことを防ぐために設けられるものである。すなわち、ロックピン６０がホルダー５０内で完全に上方に移動してしまうと、つまり図３Ｂにおいて凸部６２が孔部５２の左上端部まで移動すると、突出部６１がスライド部２５内に完全に入り込んでしまうことになる。ところが、係る状態にいたると、孔部２６及び孔部１１ａから突出部６１が外部に出る動作がスムーズに行われない場合が生じうる。かかる事態を避けるため、突出部６１が最も入り込んだ状態でも図３Ｂに示される位置、すなわち突出部６１が孔部２６の壁面に当接する位置にある必要がある。
【００４４】
そこで、ロックピン６０の頂部に凸片６５を設け、当該凸片６５がホルダー５０の開口溝部５４から外部に出ることを、ホルダー押下部材３３の折曲部３３ａで抑えこみ、もって図３Ｂに示す位置以上にスライド部材２５内に入り込むことを抑制するものである。
【００４５】
この点、孔部５２の長さを、図３で云えば左上方向において短めにすれば、ロックピン６０のホルダー５０内への移動を抑制できるが、かかる手段は採用できないものである。つまり、ロックピン６０を装備したホルダー５０をスライド部材２５内に装入するためには、一旦ロックピン６０をホルダー５０内に完全に入れる必要がある。突出部６１が孔部２６の壁面に当接する位置にあると、スライド部材２５内部に装入出来ないからである。ゆえに、かかる事態を避けるために上述のように凸片６５を設ける手段を採用しているのである。
【００４６】
図１２Ａはエンド部材４０の正面図であり、図１２Ｂはエンド部材４０の左側面図であり、図１２Ｃはエンド部材４０の平面図であり、図１２Ｄはエンド部材４０の斜視図である。エンド部材４０は、スライド部２５の下端開口部にはめ込むものである。
【００４７】
エンド部材４０は蓋部４４上に凹部４３を有する柱状体４２が設けられ、凹部４３には円柱状の突出部４５が設けられる。この突出部４５は押圧バネ４１に緩挿sれるものである。
【００４８】
エンド部材４０、ホルダー５０、作動リンク部材３０の位置関係は、スライド部２５の下端縁にエンド部材４０が嵌め込まれ、エンド部材４０に装備される押圧バネ４１の上にホルダー５０が載置され、ホルダー内５０内にロックピン６０が装備され、ホルダー５０上面に接する位置関係で作動リンク部材３０を構成するホルダー押下部材３３が存することに成る。
【符号の説明】
【００４９】
１０・・ショッピングカート    １１・・主フレーム        １１ａ・・孔部
１２・・台座部                １３・・車輪部            ２０・・ハンドルフレーム２１・・ハンドル部            ２２・・ボタン部          ２３・・柱状部      ２４・・押圧バネ              ２５・・スライド部        ２６・・孔部
３０・・作動リンク部材        ３１・・ボタン部連動部材  ３２・・連結部材
３３・・ホルダー押下部材      ４０・・エンド部材        ４１・・押圧バネ    ４２・・柱状体                ４３・・凹部              ４４・・蓋部            
４５・・突出部                ５０・・ホルダー          ５１・・開放側側面      ５２・・孔部                  ５３・・壁部              ６０・・ロックピン      ６１・・突出部                ６２・・凸部              ６３・・本体    
６４・・溝部                  ６５・・凸片
【図１】
2015047241.tif 000003
【図２】
2015047241.tif 000004
【図３】
2015047241.tif 000005
【図４】
2015047241.tif 000006
【図５】
2015047241.tif 000007
【図６】
2015047241.tif 000008
【図７】
2015047241.tif 000009
【図８】
2015047241.tif 000010
【図９】
2015047241.tif 000011
【図１０】
2015047241.tif 000012
【図１１】
2015047241.tif 000013
【図１２】
2015047241.tif 000014
【手続補正書】
【提出日】平成26年11月24日(2014.11.24)
【手続補正１】
【補正対象書類名】特許請求の範囲
【補正対象項目名】全文
【補正方法】変更
【補正の内容】
【特許請求の範囲】
【請求項１】
略上下方向に延びる左右一対の主フレームと、
該主フレームの上端に連結して略上方に延び、上端に使用者が手押しするハンドル部を設けたハンドルフレームと、
主フレームの基端部において、主フレームを支持する台座部と、
台座部の下面に設けられる車輪部とを備えたショッピングカートであって、
前記ハンドルフレームに、
前記主フレーム（１１）に挿通して上下方向にスライドするスライド部（２５）を設け、
ハンドル部（２１）内とスライド部（２５）内に渡り、作動リンク部材（３０）を設け、
該作動リンク部材（３０）を下方に押圧するボタン部（２２）をハンドル部（２１）に
設け、
スライド部（２５）下端にエンド部材（４０）を嵌め込むと共に、エンド部材（４０）上部に押圧バネ（４１）を介在させ、
作動リンク部材（３０）の下端に接してスライド部（２５）内に装備される内部が空洞である略直方体状の箱型のホルダー（５０）であって、スライド部（２５）内に装備された際に、少なくとも後述の孔部（１１ａ）と対向する側面側側壁（５５）が開放され、その正面側を構成する側壁（５６）及び背面側を構成する側壁（５７）に、側面側側壁（５５）方向に向かって略対角線方向に傾斜して下降する孔部（５２）を有するホルダー（５０）を、押圧バネ（４１）上に載置し、
略直方体状の本体６３の正面側及び背面側側壁に、ホルダー（５０）内装入された際に、上記孔部（５２）に緩挿される円柱状の凸部（６２）を有すると共に、ホルダー（５０）内装入された際に上記ホルダー（５０）の開放された側面側側壁（５５）に向かって突起する突出部（６１）を本体５３に設けたロックピン（６０）を、ホルダー（５０）内に装入し、
前記スライド部（２５）に、前記ロックピン（６０）の突出部（６１）が緩挿可能な孔部（２６）を、作動リンク部材（３０）がホルダー（５０）を押圧していない状態において、突出部（６１）が突出する位置に設け、
前記主フレーム（１１）に、前記ロックピン（６０）の突出部（６１）が緩挿可能な孔部（１１ａ）を複数設けたショッピングカート。
【請求項２】
ホルダー（５０）内に前記孔部（５２）と同一方向に向かって傾斜する壁部（５３）を設け、ロックピン（６０）の本体（６３）に、壁部（５３）と同一方向に向かって傾斜し、壁部（５３）を緩挿可能な溝部（６４）を設けた請求項１記載のショッピングカート。
【手続補正書】
【提出日】平成26年11月24日(2014.11.24)
【手続補正１】
【補正対象書類名】図面
【補正対象項目名】図８
【補正方法】変更
【補正の内容】
【図８】
2015047241.tif 000015
【手続補正２】
【補正対象書類名】図面
【補正対象項目名】図９
【補正方法】変更
【補正の内容】
【図９】
2015047241.tif 000016